(57)【要約】      （修正有）【課題】空気に含有する酸素と水素との融合気を生成し、その化学反応によって生成する化学発光を機能的に管理し得る簡易な自然光発生装置を提供する。【解決手段】装置１０の収容室１４に設けられた吸入口１４１から空気を吸入し、その空気流の負圧吸出し作用に伴って装置内貯留室１２内に蔵される水素を取出し口１２１から収容室１４に対向する取入れ口に導出し、収容室１４に併存する空気と水素をスクリュー装置１８により、隔壁１４６に設けられた開口１６４を経て混合室１６に送入する。さらに、水素と酸素とが、触媒元素パラジウム２１の触媒作用を受けて活性の状態となり、気体の混合室１６を貫流する気体の下流で水を生成すると共に同下流に位置する有機化合物ルミノール２２にエネルギー代謝することで同化合物を励起する。励起された同化合物は、同位置にある過酸化水素と反応して発光する。【選択図】図１
0003177669.tif 000002
【実用新案登録請求の範囲】
【請求項１】
装置の吸入口から空気を吸入し、装置内貯留室から水素をを導出する収容室を設け、同収容室に併存する吸入された空気と導出水素との両気体を混合要素を用いて混合室に移動、混合し、その結果得られた空気含有酸素と導出水素との混合作用により化学反応を生起して、自然光を発生し、これを放射することを特徴とする簡易型自然光発生装置。
【請求項２】
請求項１の混合要素を回転スクリュー装置とし、その回転運動により収容室内空気と水素の混合室への移動と混合、混合室内での水素と酸素との融合気の回転と並進を与えることにより生起する化学反応に基づいた自然光を発光し、放射することを特徴とする簡易型自然光発光装置。
【請求項３】
請求項１において、混合室外周に透明な壁体もしくはウインドウを設け、水素の貯留室とそれからの導出水素と吸入空気とを容れる収容室との間に開口調整具を設けてなり、また請求項２に記載のスクリュー装置の回転軸を無段変速装置を介して小型直流電動機に接続して成り、水素の取入れ量、空気の吸入量、および化学発光での費消作用媒体（水素と酸素）の機能的管理を図る構成であることを特徴とする簡易型自然光発光装置。
【考案の詳細な説明】
【技術分野】
【０００１】    この考案は、装置の外部から空気を吸入し、装置に内蔵する水素と併存させ、両気体を混合することにより、空気に含有する酸素と水素との融合気を生成し、その化学反応によって生成する化学発光を機能的に管理し得る簡易な自然光発生装置に関する。
【背景技術】エネルギー消費の節減と自然環境の改良が現今の社会的要請であり、それに伴い、人工光合成の開発が進められているが、現在効果的な自然光発生装置の実用化には至っていない。
【考案の開示】
【考案が解決しようとする課題】
【０００２】自然光を発生する手段において、水素と酸素とを反応させるプロセすでは、
【課題を解決するための手段】
【０００３】自然光の化学発光において、発光に関与する媒体の水素と酸素とを考察するに、それぞれの単位時間当たりの所要供給量および両媒体の供給比率、を最適にするために、発光の可否、良否を光放射の目視確認の上で、スクリュー装置１８の回転数の増減で媒体供給調整を行い、また貯留室から導出される水素の量を増減する開閉具の調整によって、媒体供給の最適化を図る。
【考案の効果】
【０００４】第一に、人工光合成に必要な自然光の生成を化学発光とし、必要な媒体の水素は流通業界から得られ、酸素は吸入空気含有の酸素であるから、入手が極めて安易で安価である効果がある。第二に、水素と酸素との化学反応域に空気含有の窒素が共存することから、防爆の予防効果がある。第三に、発光の可否、良否を目視して、水素および酸素、あるいはそのどちらかの供給量の手動による調整が可能であることから、簡易に管理できる効果がある。第四に、簡易に自然光を発光できる装置であるから、公共施設を利用しない節電型街路照明の提供が可能である。
【実施例】
【０００５】装置１０の収容室１４に設けられた吸入口１４１から空気を吸入し、その空気流の負圧吸出し作用に伴って装置内貯留室１２内に蔵される水素を取出し口１２１から収容室１４に対向する取入れ口１４４２に導出し、収容室１４に併存する空気と水素をスクリュー装置１８により、隔壁１４６に設けられた開口１６４を経て混合室１６に送入する。同併存気体は、混合室１６内でスクリュー装置の回転運動によって回転と並進の作用を受け、その結果空気内酸素と水素とが融合して化学反応し、自然光を発生して、透明壁体１６１もしくはウインドウから外部に放射する。【０００６】スクリュー装置１８は、無段変速装置２０（図示せず）を介し小型直流電動機２２（図示せず）に結合する。電源には、幾つかの適正個数の乾電池（図示せず）を使用し、スクリュー装置１８の駆動源となる。例えば市販されているＭ社の型式ＲＣ２８０−ＳＡシリーズにおいて、電動機の回転数は９１３０〜１１９１０ｒｐｍの範囲にあり、これに無段変速装置を結合することで、桁違いに広範囲の速度選択が可能である。
一方、貯留室１２から導出される水素の量は、調整具１２２の開口位置によって調整される。すなわち、収容室外壁に設けられた開口度指定ピン１４１〜ｎに板状調整具１２２のピン孔１２３をはめることで、水素導出量が決められる。従って、酸素に対する水素の量的割合の選択、および両気体の単位時間当たりの供給量の選定が可能であり、化学発光に必要な作用媒体（水素と酸素）の状態量を操作によって得られるという特徴がある。吸入される空気は、収容室１４の吸入口１４１から入る。混合室１６で作用を終えた残余の水素と酸素、窒素等の他元素気体および化学反応による生成水分は、混合室１６の排出口１６１から装置１０の外部に排出される。
【図面の簡単な説明】
【０００７】
【図１】簡易型自然光発光装置の縦断面。
【図２】簡易型自然光発生装置のア視図。
【符号の説明】
【０００８】１０：簡易型自然光発光装置
１２：貯留室
１２１：水素取出し口
１２２：水素取出し調整具
１２３；ピン孔
１４：収容室
１４１：空気吸入口
１４２：水素取入れ口
１４６：隔壁
１６：混合室
１６１：排出口
１６４：気流送入開口
１８：スクリュー装置
【図１】
0003177669.tif 000003
【図２】
0003177669.tif 000004
【手続補正書】
【提出日】平成24年3月13日(2012.3.13)
【手続補正１】
【補正対象書類名】実用新案登録請求の範囲
【補正対象項目名】全文
【補正方法】変更
【補正の内容】
【実用新案登録請求の範囲】
【請求項１】
装置の吸入口から空気を吸入し、装置内貯留室に保留する水素を装置内収容室に導き、それにより同収容室に併存する状態となる同水素と吸入された空気とをスクリュー装置を用いて隣接する混合室に移動せしめ、同混合室内で併存する水素と空気とがスクリュー装置の回転作動により回転と並進の運動が与えられ、その結果水素と空気の含有酸素とが混合し、同混合室に設置されている触媒元素のパラジウムに同水素と酸素の混合気体が接触することで化学反応を生起し、それにより水素と酸素とが活性化して、同混合室に並置される有機化合物ルミノールにエネルギー代謝することで同ルミノールが励起して、併存する過酸化水素との化学発光の作用により、自然光を放射するものであることを特徴とする簡易型自然光発生装置。
【請求項２】
請求項１に記載の水素と酸素のスクリュー装置による混合が行われる混合室は、スクリュー装置により生成される水素と空気との気流の上流に触媒元素パラジウムを設けて水素分子と酸素分子とに活性を与え、同気流の下流に有機化合物ルミノール及び過酸化水素を配することで、活性化された水素と酸素とからのエネルギー代謝を受けたルミノールが過酸化水素と反応して、化学発光する過程の得られることを特徴とする簡易型自然光発生装置。
【請求項３】
請求項１及び２に記載の水素分子と酸素分子とを含む気流を内包する混合室は、同気流の下流に対応する壁体を透明部材から構成することで同気流の下流からの発光を同透明部材を透過して外部に放射し、前記混合室内で混合部材である水素と空気を混合する部材のスクリュー装置は無断変速機を介して小型直流電動機に接続し、水素貯留室から水素と空気との気体用収容室に水素を取り込む取込み具を水素貯留室と気体用収容室との間に位置可変に設け、その位置によって水素分子の収容室への流入口が増減し、結果として取入れ量が増減することから、人間の放射光の目視により、一定の取入れ空気量に対する水素貯留室からの水素の排出量の調整を可能とすることを特徴とする簡易型自然光発生装置。
【手続補正２】
【補正対象書類名】明細書
【補正対象項目名】０００２
【補正方法】変更
【補正の内容】
【０００２】自然光を発生する手段において、光発生の可否、良否、を簡便に判断し、操作する人為的手段が無い。
【手続補正３】
【補正対象書類名】明細書
【補正対象項目名】０００５
【補正方法】変更
【補正の内容】
【０００５】具体的には、水素と酸素とが、触媒元素パラジウム２１の触媒作用を受けて活性の状態となり、気体の混合室１６を貫流する気体の下流で水を生成すると共に同下流に位置する有機化合物ルミノール２２にエネルギー代謝することで同化合物を励起する。励起された同化合物は、同位置にある過酸化水素と反応して発光する。ルミノールは化学発光種である。参考文献：大場、向井、慶応義塾大学日吉紀要自然科学Ｎｏ．４６（２５００８）、Ｎｏ．４８（２０１０）
【手続補正４】
【補正対象書類名】明細書
【補正対象項目名】０００８
【補正方法】変更
【補正の内容】
【０００８】  １０：簡易型自然光発生装置
１２：貯留室
１２１：水素取出し口
１２２：水素取出し調整具
１２３：ピン孔
１４：収容室
１４１：空気吸入口
１４２：水素取入れ口
１４６：隔壁
１６：混合室
１６１：排出口
１６４：気流送入開口
１８：スクリュー装置
２１：触媒片（パラジウム）
２２：化学発光種受容具
【手続補正５】
【補正対象書類名】図面
【補正対象項目名】全図
【補正方法】変更
【補正の内容】
【図１】
0003177669.tif 000005
【図２】
0003177669.tif 000006
【手続補正６】
【補正対象書類名】明細書
【補正対象項目名】０００７
【補正方法】変更
【補正の内容】
【０００７】
【図１】簡易型自然光発生装置の縦断面。
【図２】簡易型自然光発生装置のア視図。
【手続補正書】
【提出日】平成24年5月28日(2012.5.28)
【手続補正１】
【補正対象書類名】実用新案登録請求の範囲
【補正対象項目名】請求項２
【補正方法】変更
【補正の内容】
【請求項２】
請求項１に記載の水素と酸素等の気体のスクリュー装置による混合が行われる混合室は、スクリュー装置により生成される水素と空気との気流の上流に触媒元素パラジウムを設けて水素分子と酸素分子とに活性を与え、同気流の下流に有機化合物ルミノール及び過酸化水素を配することで、活性化された水素と酸素とかららのエネルギー代謝を受けたルミノールが過酸化水素と反応して、化学発光するる過程の得られることを特徴とする簡易型自然光発生装置。
【手続補正２】
【補正対象書類名】実用新案登録請求の範囲
【補正対象項目名】請求項３
【補正方法】変更
【補正の内容】
【請求項３】
請求項１及び２に記載の水素分子と酸素分子等を含む気体分子の気流を内包する混合室は、同気流の下流に対応する壁体を透明部材から構成することで同気流の下流からの発光を同透明部材を透過して外部に放射し、前記混合室内で混合部材である水素と空気を混合する部材のスクリュー装置は無断変速機を介して小型直直流電動機に接続し、水素貯留室から水素と空気との気体用収容室に水素を取り込む取込み具を水素貯留室と気体用収容室との間に位置可変に設け、その位置に置によって水素分子の収容室への流入口が増減し、結果として取入れ量が増減することから、人間の放射光の目視により、一定の取入れ空気量に対する水素貯留室からの水素の排出量の調整を可能とすることを特徴とする簡易型自然光発生装置。